(57)【要約】【課題】  待機中の電力損失を小さくすること。【解決手段】  出力の小さい第１の電源回路１１と、出力の大きい第２の電源回路１２とを使用したスイッチング電源装置において、第１の電源回路１１は常に動作状態にあり、第２の電源回路１２は、それを起動させる時に、第１の電源回路１１で生成された電力を用いて起動される。【選択図】      図１
2007159200.tif 000002
【特許請求の範囲】
【請求項１】
出力の小さい第１の電源回路と、出力の大きい第２の電源回路とを使用したスイッチング電源装置において、前記第１の電源回路は常に動作状態にあり、前記第２の電源回路は、それを起動させる時に、前記第１の電源回路で生成された電力を用いて起動されることを特徴とするスイッチング電源装置。
【請求項２】
前記第１の電源回路と前記第２の電源回路との出力比が１：１０００以上である、ことを特徴とする請求項１に記載のスイッチング電源装置。
【請求項３】
前記第２の電源回路を起動信号に応答して動作させることを特徴とする、請求項１又は２に記載のスイッチング電源装置。
【請求項４】
前記第１の電源回路の帰還信号を前記起動信号として用いる、ことを特徴とする請求項３に記載のスイッチング電源装置。
【請求項５】
前記第１の電源回路の負荷を検出して、前記起動信号を生成する、ことを特徴とする請求項３に記載のスイッチング電源装置。
【請求項６】
前記第２の電源回路の帰還信号を前記起動信号として用いる、ことを特徴とする、請求項３に記載のスイッチング電源装置。
【請求項７】
前記第２の電源回路を停止させる手段を更に含む、請求項１又は２に記載のスイッチング電源装置。
【発明の詳細な説明】
【技術分野】
【０００１】
本発明は、スイッチング電源装置に関し、特に、スイッチング電源装置を起動する方法に関する。
【背景技術】
【０００２】
この技術分野において周知のように、スイッチング電源装置とは、ある電圧レベルの直流電圧（入力電圧）を他の電圧レベルの直流電圧（出力電圧）に変換する電力変換装置のことをいう。スイッチング電源装置は、ＤＣ−ＤＣコンバータあるいはスイッチングレギュレータとも呼ばれる。スイッチング電源装置では、トランジスタをスイッチとして用い、これをスイッチングさせ、入力電圧をいったん交流電圧に変えて、トランス又はインダクタ等のインダクタンス素子によって電圧を昇圧あるいは降圧した後、整流して出力電圧に変換する。
【０００３】
このようなスイッチング電源装置として、出力の小さい第１の電源回路と、出力の大きい第２の電源回路とを使用したものがある。第１の電源回路は、負荷として、リモートコントローラからの電波（例えば、赤外線）の指令信号に応答して動作するコントロール回路に電力を供給するために使用される。第２の電源回路は、負荷として、装置本体（セット回路）に電力を供給するために使用される。従来のスイッチング電源装置では、一度起動されると、常に動作状態に置かれている。換言すれば、第１の電源回路と第２の電源回路とは、負荷の状態とは無関係に、常に動作状態に置かれている。
【０００４】
本発明に関連する先行技術は種々知られている。例えば、交流電源入力をフィルタ用インダクタンス素子を介して整流器に供給し、この整流器からの出力をスイッチング制御するスイッチング電源装置において、上記フィルタ用インダクタンス素子に対して別巻線を設け、この別巻線からの出力により上記スイッチング制御用の回路部への起動電力供給を行なうことを特徴とするスイッチング電源装置が知られている（例えば、特許文献１参照）。
【０００５】
また、２種類の電源電圧を生成する２系統の電源回路を改善したものが知られている（例えば、特許文献２参照）。この特許文献２に開示された電源回路は、高電圧の電源電圧と、低電圧の電源電圧と２種類の電源電圧を必要とする機器に用いられ、１つの電源回路でこのような２種類の電源電圧を供給する際に用いられる電源回路である。電源回路は、第１の出力電圧（高電圧の電源電圧）を生成する第１の電圧生成部と、第２の出力電圧（低電圧の電源電圧）を生成する第２の電圧生成部とを有する。第１の電圧生成部は第１の制御部を備え、第２の電圧生成部は第２の制御部を備えている。第２の制御部の電源電圧入力端子と、第１の制御部の電源電圧入力端子との間に、第２の制御部の電源電圧入力端子の電位が所定の電位を超えて上昇したときにオンするスイッチング回路を設けている。このスイッチング回路は、第２の制御部が完全に立ち上がった後に第１の制御部に電源電圧を供給しているので、第１の電圧生成部は、第２の電圧生成部が立ち上がった後でなければ立ち上がらないようになっている。
【０００６】
更に、ＰＷＭ回路を起動させる電源を有し、簡易な構成で消費電力を抑制するスイッチング電源も知られている（例えば、特許文献３参照）。この特許文献３に開示されたスイッチング電源は、第１のコンバータと、第２のコンバータと、ＰＷＭ回路とを有する。ＰＷＭ回路は、スイッチング電源の起動時にＰＷＭ回路に電力を供給する第２のコンバータを、第１のコンバータより先に起動している。
【０００７】
また、電源装置の規模の増加を抑制しつつ、コンピュータの中央処理装置などの回路および起動回路へ１系統バッテリの蓄電電力を給電する技術も知られている（例えば、特許文献４参照）。この特許文献４に開示された電源装置は、コンピュータに用いられる電源装置であって、中央処理装置などの回路へ電力を供給するための給電系統に用いられるメイントランスと、起動回路へ電力を給電するための給電系統に用いられるバックアップトランスとの、２つのトランスを備えている。入力コンデンサの充電電圧は、バックアップトランスを介して出力コンデンサに充電され、この出力コンデンサの充電電圧は起動回路へ出力される。バックアップトランスから出力される電力は出力電圧制御回路へ供給されている。この状態で、起動スイッチが操作されると、起動回路は起動信号を出力する。起動信号に応答して、出力制御回路は動作を開始する。これにより、入力コンデンサの充電電圧は、メイントランスを介して中央処理装置へ供給される。
【０００８】
【特許文献１】実開昭５７−１５１６２７号公報
【特許文献２】特許第３２４４４２４号公報
【特許文献３】特開２００２−１９９７２３号公報
【特許文献４】特開２００５−１１０３４６号公報
【発明の開示】
【発明が解決しようとする課題】
【０００９】
特許文献１は、別巻線からの出力によりスイッチング制御用の回路部への起動電力供給を行なうことを開示しているのみで、出力の小さい第１の電源回路と、出力の大きい第２の電源回路とを使用したスイッチング電源装置において、どのようにして第２の電源回路を起動させるかについては何等開示していない。また、特許文献１に開示されたスイッチング電源装置は、常に動作状態に置かれているので、待機状態にあるときにも常に大電力を消費するという問題がある。
【００１０】
特許文献２は、電源回路（スイッチング電源装置）それ自体を起動する場合に、第２の電圧生成部が立ち上がった後に第１の電圧生成部を立ち上げるようにした技術思想を開示するのみである。従って、特許文献２に開示された電源回路（スイッチング電源装置）は、一度起動されると、常に動作状態に置かれる。従って、特許文献２に開示された電源回路（スイッチング電源装置）は、特許文献１に開示されたスイッチング電源装置と同様に、待機状態にあるときにも常に大電力を消費するという問題がある。
【００１１】
特許文献３も、特許文献２と同様に、第２のコンバータを第１のコンバータより先に起動するようにした技術思想を開示するのみである。従って、特許文献２と同様に、特許文献３に開示されたスイッチング電源も、一度起動されると、常に動作状態に置かれる。従って、特許文献３に開示されたスイッチング電源は、特許文献１および特許文献２に開示されたスイッチング電源装置と同様に、待機状態にあるときにも常に大電力を消費するという問題がある。
【００１２】
特許文献４では、バックアップトランスから出力される電力を出力電圧制御回路へ供給し、起動スイッチの操作に応答して起動回路は起動信号を出力し、この起動信号に応答して、出力電圧制御回路は動作を開始して、入力コンデンサの充電電圧は、メイントランスを介して中央処理装置へ供給される。
【００１３】
とにかく、特許文献１〜３に開示されているスイッチング電源装置では、待機状態に於いて大電力が消費されるという問題がある。上述したように、スイッチング電源装置が、出力の小さい第１の電源回路と、出力の大きい第２の電源回路とを使用したものであるとする。そして、第１の電源回路は、負荷として、リモートコントローラからの電波（例えば、赤外線）の指令信号に応答して動作するコントロール回路に電力を供給するために使用され、第２の電源回路は、負荷として、装置本体（セット回路）に電力を供給するために使用されるとする。従来のスイッチング電源装置では、一度起動されると、常に動作状態に置かれている。換言すれば、第１の電源回路と第２の電源回路とは、常に動作状態に置かれている。周知のように、リモートコントローラは、実際に動作する期間に較べて待機している期間が長時間である。このように待機状態の期間が長時間であるにも拘らず、負荷（セット回路）の待機状態においても第２の電源回路を動作状態に置くことは、待機中での電力損失を大きくしてしまう。
【００１４】
したがって、本発明の解決課題は、待機中の電力損失を小さくすることができる、スイッチング電源装置を提供することにある。
【００１５】
本発明の他の目的は、説明が進むにつれて明らかになるだろう。
【課題を解決するための手段】
【００１６】
本発明によれば、出力の小さい第１の電源回路（１１）と、出力の大きい第２の電源回路（１２）とを使用したスイッチング電源装置において、前記第１の電源回路（１１）は常に動作状態にあり、前記第２の電源回路（１２）は、それを起動させる時に、前記第１の電源回路（１１）で生成された電力を用いて起動されることを特徴とするスイッチング電源装置（１０、１０Ａ、１０Ｂ、１０Ｃ、１０Ｄ、１０Ｅ、１０Ｆ、１０Ｇ）が得られる。
【００１７】
上記スイッチング電源装置において、前記第１の電源回路（１１）と前記第２の電源回路（１２）との出力比が１：１０００以上であることが好ましい。前記第２の電源回路（１２）を起動信号に応答して動作させるようにして良い。この場合、前記第１の電源回路（１１）の帰還信号を前記起動信号として用いても良いし、前記第１の電源回路（１１）の負荷（１５）を検出して、前記起動信号を生成するようにしても良いし、或いは、前記第２の電源回路（１２）の帰還信号を前記起動信号として用いても良い。また、前記第２の電源回路（１２）を停止させる手段（ＳＷ：１５，１６，１７）を更に含んでも良い。
【００１８】
尚、上記括弧内の参照符号は、理解を容易にするために付したものであり、一例に過ぎず、これらに限定されないのは勿論である。
【発明の効果】
【００１９】
本発明では、第１の電源回路は常に動作状態にしておき、第２の電源回路については、それを起動させる際に、第１の電源回路で生成された電力を用いて起動させるようにしているので、待機中の電力損失を小さくすることができるという効果を奏する。
【発明を実施するための最良の形態】
【００２０】
図１を参照して、本発明の第１の実施の形態に係るスイッチング電源装置１０について説明する。図示のスイッチング電源装置１０は、第１の電源回路１１と、第２の電源回路１２と、セット回路１４と、動作・停止信号回路１５と、外部制御回路１６と、スイッチ回路１７とを備えている。
【００２１】
第１の電源回路１１は出力の小さい電源回路であるのに対して、第２の電源回路１２は出力の大きい電源回路である。例えば、第１の電源回路１１から出力される第１の出力電圧が供給される負荷は、リモートコントローラからの電波（例えば、赤外線）の指令信号に応答して動作するコントロール回路（後述する）である。これに対して、第２の電源回路１２から出力される第２の出力電圧が供給される負荷は、装置本体などのセット回路１４である。
【００２２】
本例では、第１の電源回路１１と第２の電源回路１２との出力（電力）比は、１：１０００以上である。
【００２３】
第１の電源回路１１にはＡＣ電源が印加され、第１の電源回路１１は常時動作している。第２の電源回路１２の制御回路（図示せず）を動作させるための電力を、スイッチ回路１７を介して第１の電源回路１１から供給している。すなわち、第１の電源回路１１から第２の電源回路１２の制御回路へ供給する電力を、外部制御回路１６の制御信号によりスイッチ回路１７をオン／オフさせることにより制御して、第２の電源回路１２を動作・停止させる。尚、外部制御回路１６には、動作・停止信号回路１５から動作信号又は停止信号が供給される。
【００２４】
このように、第１の電源回路１１から供給される電力を制御して、第２の電源回路１２を動作・停止させている。換言すれば、第２の電源回路１２は、それを起動させる時に、第１の電源回路１１で生成された電力を用いて起動される。
【００２５】
このような構成によれば、第２の電源回路１１は、負荷であるセット回路１４が待機状態のときに、その動作を停止することができ、セット回路１４を動作状態にさせるときにのみ、動作して、セット回路１４へ電力を供給することができる。したがって、待機状態での電力を消費を大幅に削減することができる。
【００２６】
一般的に電源回路（特にスイッチング式電源回路）では、出力電力を大きくする為には起動回路にも、より大きな電力を必要とする。つまり起動回路は電源回路のオフ時にも電力を消費しているので、出力電力が大きな電源回路は待機時の消費電力も大きくなる。この待機状態での電力を削減する為には、大きな出力の電源回路の起動をより小さな出力の電源回路の出力により行なうことで可能となる。この場合、大きな電源回路の出力電力と小さな電源回路の出力電力の比を１０００：１以上にすれば、待機時の電力を１／１０００以下とすることができる。より好ましくは１００００：１以上にすれば１／１００００以下に、さらに好ましくは１０００００：１以上にすれば１／１０００００以下に、待機時の電力を大幅に削減することができ、この電源装置を使用する機器を省エネルギー化することが可能となる。
【００２７】
図２を参照して、図１に示したスイッチング電源装置１０の具体例について説明する。
【００２８】
スイッチング電源装置１０は、ＡＣ電源から供給されるＡＣ入力電圧を全波整流して、全波整流した電圧を出力する全波整流器Ｄ１と、この全波整流した電圧を平滑して、平滑した電圧を出力する入力コンデンサＣ１とを有する。平滑した電圧は、第１の電源回路１１と第２の電源回路１２とに供給される。
【００２９】
図示の第１の電源回路１１は、抵抗器Ｒ１と、一次巻線Ｎ１１と二次巻線Ｎ２１と三次巻線（補助巻線）Ｎ３１とを持つ第１の絶縁トランスＴ１と、この第１の絶縁トランスＴ１の一次巻線Ｎ１１に接続されたスイッチング素子として第１の電界効果トランジスタＦＥＴ１と、第１の絶縁トランスＴ１の二次巻線Ｎ２１に誘起された交流電圧を整流するダイオードＤ２と、このダイオードＤ２で整流された電圧を平滑して、第１の出力電圧を出力する第１の出力コンデンサＣ２とを有する。
【００３０】
図示の例では、この第１の出力電圧は、動作・停止信号回路１５として働くコントロール回路へ供給される。上述したように、コントロール回路１５は、リモートコントローラ（図示せず）からの電波（例えば、赤外線）の指令信号に応答して動作する。
【００３１】
第１の電源回路１１は、更に、後述する第１の帰還信号に応答して、第１の電界効果トランジスタＦＥＴ１をオン／オフするための第１のパルス幅変調（ＰＷＭ）信号を発生するための第１のＰＷＭ発振器２１を備えている。第１の絶縁トランスＴ１の補助巻線Ｎ３１に誘起された交流電圧は、ダイオードＤ３で整流された後、コンデンサＣ３で平滑され、後述するように、スイッチ回路１７を介して第２の電源回路１２へ供給される。すなわち、コンデンサＣ３で平滑された電圧は、第２の電源回路１２の制御回路（後述する）を動作させるための電圧（電力）として使用される。
【００３２】
スイッチング電源装置１０は、第１の出力電圧および抵抗器Ｒ２に流れる第１の出力電流（第１の負荷電流）を検出して、第１の出力検出信号を出力する第１の検出回路３１と、この第１の出力検出信号を、第１の電源回路１１の一次側回路へ、上記第１の帰還信号として帰還する第１の帰還回路４１とを有する。
【００３３】
一方、図示の第２の電源回路１２は、一次巻線Ｎ１２と二次巻線Ｎ２２とを持つ第２の絶縁トランスＴ２と、この第２の絶縁トランスＴ２の一次巻線Ｎ１２に接続されたスイッチング素子として第２の電界効果トランジスタＦＥＴ２と、第２の絶縁トランスＴ２の二次巻線Ｎ２２に誘起された交流電圧を整流するダイオードＤ５と、このダイオードＤ５で整流された電圧を平滑して、第２の出力電圧を出力する第２の出力コンデンサＣ４とを有する。
【００３４】
図示の例では、この第２の出力電圧は、装置本体であるセット回路１４へ供給される。
【００３５】
第２の電源回路１２は、更に、後述する第２の帰還信号に応答して、第２の電界効果トランジスタＦＥＴ２をオン／オフするための第２のパルス幅変調（ＰＷＭ）信号を発生するための第２のＰＷＭ発振器２２を備えている。
【００３６】
スイッチング電源装置１０は、第２の出力電圧および抵抗器Ｒ３に流れる第２の出力電流（第２の負荷電流）を検出して、第２の出力検出信号を出力する第２の検出回路３２と、この第２の出力検出信号を、第２の電源回路１２の一次側回路へ、上記第２の帰還信号として帰還する第２の帰還回路４２とを有する。
【００３７】
コントロール回路１５にはセット回路１４からの信号が供給される。コントロール回路１５は、このセット回路１４からの信号やリモートコントローラからの指令信号に応答して、動作信号又は停止信号を外部制御回路１６へ供給する。動作信号に応答して、外部制御回路１６はスイッチ回路１７をオンして、コンデンサＣ３に蓄積された電圧（電力）を、第２の電源回路１２の第２のＰＷＭ発振器２２へ供給する。一方、停止信号に応答して、外部制御回路１６はスイッチ回路１７をオフして、コンデンサＣ３に蓄積された電圧（電力）の第２のＰＷＭ発振器２２への供給を停止する。とにかく、第２のＰＷＭ発振器２２は、第２の電源回路１２の制御回路として働く。
【００３８】
図３及び図４を参照して、本発明の第２の実施の形態に係るスイッチング電源装置１０Ａについて説明する。図示のスイッチング電源装置１０Ａは、第１の帰還回路４１と外部制御回路１６との間に信号検出回路５１が備えられている点を除いて、図１及び図２に示したスイッチング電源装置１０と同様の構成を有する。従って、図１及び図２に示したものと同様の機能を有するものには同一の参照符号を付して、以下では異なる点についてのみ説明する。
【００３９】
信号検出回路５１は、第１の帰還回路４１が出力する第１の帰還信号の一部を検出して、信号検出信号を外部制御回路１６へ送出する。すなわち、第１の電源回路１１の負荷であるコントロール回路１５がリモートコントローラの動作に応じて変化する。この変化を、信号検出回路５１は、第１の帰還回路４１の第１の帰還信号から検出する。この信号検出信号に応答して、外部制御回路１６は、スイッチ回路１７をオン／オフし、それにより、第２の電源回路１２の動作・停止を制御する。
【００４０】
図５及び図６を参照して、本発明の第３の実施の形態に係るスイッチング電源装置１０Ｂについて説明する。図示のスイッチング電源装置１０Ｂは、第２の帰還回路４２と外部制御回路１６との間に信号検出回路５２が備えられていると共に、コントロール回路１５の信号を第２の帰還回路４２へ送出している点を除いて、図１及び図２に示したスイッチング電源装置１０と同様の構成を有する。従って、図１及び図２に示したものと同様の機能を有するものには同一の参照符号を付して、以下では異なる点についてのみ説明する。
【００４１】
第１の電源回路１１の負荷であるコントロール回路１５は、リモートコントローラの動作に応じて変化する。コントロール回路１５はその変化を第２の帰還回路４２へ送出する。第２の帰還回路４２は、その変化を反映させた第２の帰還信号に含ませる。信号検出回路５２は、第２の帰還信号に含まれる変化を検出して、信号検出信号を外部制御回路１６へ送出する。この信号検出信号に応答して、外部制御回路１６は、スイッチ回路１７をオン／オフし、それにより、第２の電源回路１２の動作・停止を制御する。
【００４２】
図７を参照して、第２の帰還回路４２から出力される第２の帰還信号について説明する。図７において、（Ａ）は第２の電源回路１２の電気特性を示す図で、（Ｂ）は第２の帰還回路４２から出力される第２の帰還信号の特性を示す図である。図７（Ａ）において、横軸は第２の電源回路１２の出力電流Ｉを示し、縦軸は第２の出力電圧Ｖを示す。図７（Ｂ）において、横軸は第２の電源回路１２の出力電流Ｉを示し、縦軸は第２の帰還信号の信号電流を示す。
【００４３】
図７（Ａ）に示されるように、Ａの範囲は使用していない部分である。信号検出回路５０は、この部分に対応する第２の帰還信号を検出することにより、第２の電源回路１２の動作・停止を制御するための信号検出信号を出力する。
【００４４】
次に、図８を参照して、図６に示したスイッチング電源装置１０Ｂの動作について説明する。
【００４５】
先ず、コントロール回路１５から第２の帰還回路４２へ起動信号を入力する（ステップＳ１）。第２の帰還回路４２から起動信号が出力されるので、信号検出回路５２はこの起動信号を検出して、起動信号を出力する（ステップＳ２）。この起動信号に応答して、外部制御回路１６が動作し（ステップＳ３）、スイッチ回路１７をオンさせる（ステップＳ４）。これにより、第１の電源回路１１で生成された電力がスイッチ回路１７を介して第２のＰＷＭ発振器２２へ供給され、第２のＰＷＭ発信器２２は動作を開始する（ステップＳ５）。その結果、第２の電源回路１２が動作する（ステップＳ６）。
【００４６】
次に、コントロール回路１５が第２の帰還回路４２へ停止信号を出力したとする（ステップＳ７）。第２の帰還回路４２から出力される停止信号を信号検出回路５２が検出して、信号検出回路５２は停止信号を出力する（ステップＳ８）。この停止信号に応答して、外部制御回路１６はスイッチ回路１７をオフさせる（ステップＳ９）。これにより、第１の電源回路１１から第２のＰＷＭ発振器２２への電力供給が停止されるので、第２のＰＷＭ発振器２２は動作を停止する（ステップＳ１０）。その結果、第２の電源回路１２は動作を停止する（ステップＳ１１）。
【００４７】
図９を参照して、本発明の第４の実施の形態に係るスイッチング電源装置１０Ｃについて説明する。図示のスイッチング電源装置１０Ｃは、スイッチ回路１７と第２の電源回路１２との間にソフト動作回路１８を更に備えている点を除いて、図１に示したスイッチング電源回路１０と同様の構成を有する。従って、図１に示したものと同様の機能を有するものには同一の参照符号を付して、以下では異なる点についてのみ説明する。
【００４８】
ソフト動作回路１８は、起動時に第２の電源回路１２を徐々に（ソフトに）起動し、停止時に第２の電源回路１２を徐々に（ソフトに）停止するための回路である。
【００４９】
図１０は、第２の電源回路１２を起動する場合にソフト動作回路１８から第２の電源回路１２へ出力される電圧の波形を示す波形図である。図１０に示されるように、第２の電源回路１２を起動する場合、ソフト動作回路１８は、徐々にパルス幅が長くなるような電圧を第２の電源回路１２へ供給する。
【００５０】
図１１は、第２の電源回路１２を停止する場合にソフト動作回路１８から第２の電源回路１２へ出力される電圧の波形を示す波形図である。図１１に示されるように、第２の電源回路１２を停止する場合、ソフト動作回路１８は、徐々にパルス幅が短くなるような電圧を第２の電源回路１２へ供給する。
【００５１】
図１２に、図９に示したソフト動作回路１８の一部の回路を示す。ソフト動作回路１８は、電源Ｅ１と、スイッチＳ１と、コンデンサＣ１１と、第１の抵抗器Ｒ１１と、第２の抵抗器Ｒ１２とを含む。第２の抵抗器Ｒ１２は電源Ｅ１にスイッチＳ１を介して接続されている。第１の抵抗器Ｒ１１とコンデンサＣ１１とは直列に接続され、その直列回路は第２の抵抗器Ｒ１２に並列に接続されている。スイッチＳ１のオン／オフは、外部制御回路１６によって制御される。
【００５２】
図１３に図１２に示したコンデンサＣ１１の充電特性および放電特性を示す。図１３において、実線はコンデンサＣ１１の充電特性を示し、破線はコンデンサＣ１１の放電特性を示す。
【００５３】
ソフト動作回路１８は、第２の電源回路１２を起動する場合、図１３の実線で示すコンデンサＣ１１の充電特性を用いてパルス幅を変調することにより、図１０に示されるような、パルス幅が徐々に長くなるような電圧を第２の電源回路１２へ供給する。
【００５４】
一方、ソフト動作回路１８は、第２の電源回路１２を停止する場合、図１３の破線で示すコンデンサＣ１１の放電特性を用いてパルス幅を変調することにより、図１１に示されるような、パルス幅が徐々に短くなるような電圧を第２の電源回路１２へ供給する。
【００５５】
図１４を参照して、本発明の第５の実施の形態に係るスイッチング電源装置１０Ｄについて説明する。図示のスイッチング電源装置１０Ｄは、第２の電源回路１２側に第２の電源回路１２をオン・オフするためのスイッチＳＷを設けたスイッチング電源装置である。
【００５６】
図示のスイッチング電源装置１０Ｄは、上記スイッチＳＷと、第２の全波整流器Ｄ６と、スイッチ制御回路６０と、第１及び第２の遅延回路６１および６２とを更に備えている点を除いて、図２に示したスイッチング電源回路１０と同様の構成を有する。従って、図２に示したものと同様の機能を有するものには同一の参照符号を付して、以下では異なる点についてのみ説明する。
【００５７】
ＡＣ電源（図示せず）は、スイッチＳＷ及び第２の全波整流器Ｄ６を介して第２の電源回路１２に接続されている。スイッチＳＷのオン・オフは、スイッチ制御回路６０によって制御される。外部制御回路１６は、起動信号（オン信号）と停止信号（オフ信号）のいずれか一方を出力する。オン信号は、直接、スイッチ回路１７へ供給されると共に、第１の遅延回路６１を介してスイッチ制御回路６０へ供給される。一方、オフ信号は、直接、スイッチ制御回路６０へ供給されると共に、第２の遅延回路６２を介してスイッチ回路１７へ供給される。
【００５８】
図１５及び図１６を参照して、図１４に図示したスイッチング電源装置１０Ｄの動作について説明する。図１５は、第２の電源回路１２を起動する場合の動作を説明するためのタイムチャートであり、図１６は、第２の電源回路１２を停止する場合の動作を説明するためのタイムチャートである。
【００５９】
最初に、図１５を参照して、第２の電源回路１２を起動する場合の動作について説明する。この場合、外部制御回路１６から出力されるオン信号（起動信号）は、直接、スイッチ回路１７へ供給される。従って、このオン信号に応答して、時刻ｔ１で、スイッチ回路１７はオンし、第１の電源回路１１で生成された電力はスイッチ回路１７を介して第２の電源回路１２の第２のＰＷＭ発振器２２へ供給される。従って、第２のＰＷＭ発振器２２は、時刻ｔ１で動作を開始する。一方、上記オン信号は、第１の遅延回路６１により第１の遅延時間Ｔ１だけ遅延されて、スイッチ制御回路６０へ供給される。従って、スイッチ制御回路６０は、時刻ｔ１から第１の遅延時間Ｔ１だけ経過した時刻ｔ２でスイッチＳＷをオンする。スイッチＳＷがオンした後、ＡＣ電源からのＡＣ電圧は、第２の全波整流器Ｄ６を介して第２の電源回路１２へ供給される。
【００６０】
次に、図１６を参照して、第２の電源回路１２を停止する場合の動作について説明する。この場合、外部制御回路１６から出力されるオフ信号（停止信号）は、直接、スイッチ制御回路６０へ供給される。このオフ信号に応答して、時刻ｔ３で、スイッチ制御回路６０はスイッチＳＷをオフする。スイッチＳＷをオフした後、ＡＣ電源のＡＣ電圧の第２の全波整流器Ｄ６を介しての第２の電源回路１２へ供給は停止される。一方、上記オフ信号は、第２の遅延回路６２により遅延されて、スイッチ回路１７へ供給される。したがって、スイッチ回路１７は、時刻ｔ３から第２の遅延時間Ｔ２だけ経過した時刻ｔ４で、オンする。その結果、時刻ｔ４で、第１の電源回路１１で生成された電力はスイッチ回路１７を介して第２の電源回路１２の第２のＰＷＭ発振器２２へ供給される。従って、第２のＰＷＭ発振器２２は、時刻ｔ４で動作を停止する。
【００６１】
図１７及び第１８を参照して、本発明の第６の実施の形態に係るスイッチング電源装置１０Ｅについて説明する。図示のスイッチング電源装置１０Ｅは、第１及び第２の信号検出回路５１および５２を更に備えると共に、コントロール回路１５から出力される動作信号および停止信号をそれぞれ第１及び第２の帰還回路４１および４２へ送出するようにした点を除いて、図１及び図２に示したスイッチング電源装置１０と同様の構成を有する。換言すれば、図示のスイッチング電源装置１０Ｅは、図３及び図４に示した本発明の第２の実施の形態に係るスイッチング電源回路１０Ａと、図５及び図６に示した本発明の第３の実施の形態に係るスイッチング電源回路１０Ｂとを組み合わせた、スイッチング電源装置である。従って、図１及び図２に示したものと同様の機能を有するものには同一の参照符号を付して、以下では異なる点についてのみ説明する。
【００６２】
第１の信号検出回路５１は、第１の帰還回路４１と外部制御回路１６との間に挿入されている。第２の信号検出回路５２は、第２の帰還回路４２と外部制御回路１６との間に挿入されている。
【００６３】
コントロール回路１５から出力された動作信号は、第１の帰還回路４１へ送出される。第１の帰還回路４１は、この動作信号を含む第１の帰還信号を出力する。第１の信号検出回路５１は、第１の帰還信号から動作信号を検出すると、オン信号を外部制御回路１６へ供給する。このオン信号に応答して、外部制御回路１６はスイッチ回路１７をオンして、第１の電源回路１１で生成された電力をスイッチ回路１７を介して第２の電源回路１２の第２のＰＷＭ発振器２２へ供給する。
【００６４】
一方、コントロール回路１５から出力された停止信号は、第２の帰還回路４２へ送出される。第２の帰還回路４２は、この停止信号を含む第２の帰還信号を出力する。第２の信号検出回路５２は、第２の帰還信号から停止信号を検出すると、オフ信号を外部制御回路１６へ供給する。このオフ信号に応答して、外部制御回路１６はスイッチ回路１７をオフし、第１の電源回路１１から第２の電源回路１２の第２のＰＷＭ発振器２２への電力供給が停止される。
【００６５】
このように、図示のスイッチング電源装置１０Ｅでは、第２の電源回路１２のオン動作を第１の電源回路１１側で生成された第１の帰還信号を使用して行い、第２の電源回路１２のオフ動作を第２の電源回路１２側で生成された第２の帰還信号を使用して行っている。
【００６６】
図１７及び図１８に示したスイッチング電源装置１０Ｅでは、コントロール回路１５から出力された動作信号および停止信号をそれぞれ第１及び第２の帰還回路４１および４２へ送出しているが、コントロール回路１５から出力された動作信号および停止信号をそれぞれ第２及び第１の帰還回路４２および４１へ送出するようにしても良い。この場合、第２の電源回路１２のオン動作は、第２の電源回路１２側で生成された第２の帰還信号を使用して行われ、第２の電源回路１２のオフ動作は、第１の電源回路１１側で生成された第１の帰還信号を使用して行われる。
【００６７】
このように第１の帰還回路４１へはオン動作、第２の帰還回路４２へはオフ動作とそれぞれ帰還回路へ分けることにより、同一の帰還回路でオン・オフを行なうよりも誤動作を防ぐことができ、また第１および第２の信号検出回路５１および５２の構成も簡素にすることができる。この場合、第１の電源が常にオンとなっているので、第１の帰還回路４１の経路よりオン信号を伝達することが好ましい形となる。
【００６８】
図１９を参照して、本発明の第７の実施の形態に係るスイッチング電源装置１０Ｆについて説明する。図示のスイッチング電源装置１０Ｆは、第１及び第２の信号検出回路５１および５２の代わりに信号確認回路７０を備えている点を除いて、図１７に示したスイッチング電源装置１０Ｅと同様の構成を有する。従って、図１７に示したものと同様の機能を有するものには同一の参照符号を付して、以下では異なる点についてのみ説明する。
【００６９】
コントロール回路１５から出力される動作信号および停止信号は、第１及び第２の帰還回路４１および４２へ送出される。信号確認回路７０は、第１の帰還回路４１から出力される第１の帰還信号中および第２の帰還回路４２から出力される第２の帰還信号中の動作信号又は停止信号を検出する。
【００７０】
第１及び第２の帰還信号の両方中に停止信号を検出した場合、信号確認回路７０はオフ信号を外部制御回路１６へ送出する。第１の帰還信号中に停止信号を検出し、第２の帰還信号中に動作信号を検出した場合、信号確認回路７０はオフ信号を外部制御回路１６へ送出する。第１の帰還信号中に動作信号を検出し、第２の帰還信号中に停止信号を検出した場合、信号確認回路７０はオフ信号を外部制御回路１６へ送出する。第１及び第２の帰還信号の両方中に動作信号を検出した場合、信号確認回路７０はオン信号を外部制御回路１６へ送出する。
【００７１】
すなわち、図示のスイッチング電源装置１０Ｆでは、第１及び第２の帰還信号中の信号を検出して、その検出した信号が両方とも動作信号であった場合にのみ、第２の電源回路１２の動作を開始する。一方、第１及び第２の帰還信号中から検出した信号が合わないか、両方とも停止信号である場合、第２の電源回路１２の動作を停止する。
【００７２】
このように、第１および第２の帰還回路４１および４２が両方ともに動作信号の時のみオン信号を外部制御回路１６へ送出する方法とすることにより、ノイズ等による誤動作によるオン信号の発生を減ずることができる。
【００７３】
尚、上述した実施の形態では、電源回路の数が２で、２つの帰還信号がある場合について説明しているが、電源回路の数が３以上で、３つ以上の帰還信号がある場合にも拡張適用できるのは勿論である。この場合には、３つ以上の帰還信号中に検出した信号の全てが動作信号であった場合のみ、特定の電源回路の動作を開始することになる。
【００７４】
図２０を参照して、本発明の第８の実施の形態に係るスイッチング電源装置１０Ｇについて説明する。図示のスイッチング電源装置１０Ｇは、信号確認回路７０が後述するように動作停止信号を第１の電源回路１１へ送出するようにした点を除いて、図１９に示したスイッチング電源装置１０Ｆと同様の構成を有する。従って、図１９に示したものと同様の機能を有するものには同一の参照符号を付して、以下では異なる点についてのみ説明する。
【００７５】
第１及び第２の帰還信号中に検出した信号が異なるか、両方とも停止信号であった場合、信号確認回路７０は動作停止信号を第１の電源回路１１へ送出する。この動作停止信号に応答して、第１の電源回路１１はその動作を停止する。
【００７６】
すなわち、図１９に図示したスイッチング電源装置１０Ｆでは、第２の電源回路１２のみの動作を制御しているが、図２０に図示したスイッチング電源装置１０Ｇでは、第２の電源回路１２のみでなく第１の電源回路１１の動作をも制御している。換言すれば、帰還信号中から検出した信号が合っていない場合には、全ての電源回路の動作を停止させている。
【００７７】
このように第１および第２の帰還回路４１および４２中に検出した信号が異なるか両方とも停止信号である場合には、異常状態と判定して第１および第２の電源１１および１２を停止することにより、機器の電源を全てシャットダウンすることができ、機器の発火、破壊等からの安全性を確保することができる。
【００７８】
以上、本発明についてその好ましい実施の形態によって説明してきたが、本発明の精神を逸脱しない範囲内で、種々の変形が当業者によって可能であるのは明らかである。
【図面の簡単な説明】
【００７９】
【図１】本発明の第１の実施の形態に係るスイッチング電源装置の概略構成を示すブロック図である。
【図２】図１に示したスイッチング電源装置の具体例を示すブロック図である。
【図３】本発明の第２の実施の形態に係るスイッチング電源装置の概略構成を示すブロック図である。
【図４】図３に示したスイッチング電源装置の具体例を示すブロック図である。
【図５】本発明の第３の実施の形態に係るスイッチング電源装置の概略構成を示すブロック図である。
【図６】図５に示したスイッチング電源装置の具体例を示すブロック図である。
【図７】図６に示したスイッチング電源装置に使用される第２の帰還回路から出力される第２の帰還信号を説明するための図である。
【図８】図６に示したスイッチング電源装置の動作を説明するためのフローチャートである。
【図９】本発明の第４の実施の形態に係るスイッチング電源装置の概略構成を示すブロック図である。
【図１０】図９に示されたスイッチング電源装置において、第２の電源回路を起動する際にソフト動作回路から第２の電源回路へ出力される電圧の波形を示す波形図である。
【図１１】図９に示されたスイッチング電源装置において、第２の電源回路を停止する際にソフト動作回路から第２の電源回路へ出力される電圧の波形を示す波形図である。
【図１２】図９に示したソフト動作回路の一部の回路を示す回路図である。
【図１３】図１２に示したコンデンサの充電特性および放電特性を示す特性図である。
【図１４】本発明の第５の実施の形態に係るスイッチング電源装置の具体例を示すブロック図である。
【図１５】図１４に示したスイッチング電源装置における、第２の電源回路を起動する場合の動作を説明するためのタイムチャートである。
【図１６】図１４に示したスイッチング電源装置における、第２の電源回路を停止する場合の動作を説明するためのタイムチャートである。
【図１７】本発明の第６の実施の形態に係るスイッチング電源装置の概略構成を示すブロック図である。
【図１８】図１７に示したスイッチング電源装置の具体例を示すブロック図である。
【図１９】本発明の第７の実施の形態に係るスイッチング電源装置の概略構成を示すブロック図である。
【図２０】本発明の第８の実施の形態に係るスイッチング電源装置の概略構成を示すブロック図である。
【符号の説明】
【００８０】
１０，１０Ａ，１０Ｂ，１０Ｃ，１０Ｄ，１０Ｅ，１０Ｆ，１０Ｇ    スイッチング電源装置
１１    第１の電源回路
１２    第２の電源回路
１４    セット回路
１５    動作・停止信号回路（コントロール回路）
１６    外部制御回路
１７    スイッチ回路
１８    ソフト動作回路
２１    第１のＰＷＭ発振器
２２    第２のＰＷＭ発振器
３１    第１の検出回路
３２    第２の検出回路
４１    第１の帰還回路
４２    第２の帰還回路
５１、５２    信号検出回路
６０    スイッチ制御回路
６１    第１の遅延回路
６２    第２の遅延回路
７０    信号確認回路
ＳＷ    スイッチ
【図１】
2007159200.tif 000003
【図２】
2007159200.tif 000004
【図３】
2007159200.tif 000005
【図４】
2007159200.tif 000006
【図５】
2007159200.tif 000007
【図６】
2007159200.tif 000008
【図７】
2007159200.tif 000009
【図８】
2007159200.tif 000010
【図９】
2007159200.tif 000011
【図１０】
2007159200.tif 000012
【図１１】
2007159200.tif 000013
【図１２】
2007159200.tif 000014
【図１３】
2007159200.tif 000015
【図１４】
2007159200.tif 000016
【図１５】
2007159200.tif 000017
【図１６】
2007159200.tif 000018
【図１７】
2007159200.tif 000019
【図１８】
2007159200.tif 000020
【図１９】
2007159200.tif 000021
【図２０】
2007159200.tif 000022